(57)【特許請求の範囲】
【請求項１】
フロントパネルの下端部を駆動手段により作動する、作動手段を介して前後方向に作動することにより、フロントパネルの上端部を案内手段により上下方向に案内して機器本体の前面でフロントパネルの挿入口を隠蔽する起立位置と、挿入口を露出する伏倒位置との間で起伏作動する電子機器におけるフロントパネルの作動機構において、前記作動手段を、フロントパネルの下端部に連結されて前後方向に摺動可能な案内部材と、この案内部材に対して相対摺動可能であって、駆動手段により作動する作動部材と、常態で、後述するスプリングの弾圧作用により当接手段を介して案内部材に対する作動部材の前方への摺動を阻止すると共に、異常時にスプリングの弾圧作用に抗して案内部材に対する作動部材の後方への移動を許容するように案内部材と作動部材との間に負荷状態で張架されたスプリングとから構成したことを特徴とする電子機器におけるフロントパネルの作動機構。
【請求項２】
当接手段が、案内部材の前方上面に突設したスプリングの前端を掛止する掛止片と、作動部材の前方上面に横向きに設けたストッパーとから成る請求項１記載のフロントパネルの作動機構。
【請求項３】
案内手段が、フロントパネルの上端部に設けた案内ピンと、機器本体の側壁内面に設けた上下方向に延びて前記支軸と摺動自在に係合する案内溝とから成る請求項１または２記載の電子機器におけるフロントパネルの作動機構。
【請求項４】
機器本体の前面でフロントパネルを挿入口が隠蔽する起立位置と、挿入口を露出する伏倒位置との間で起伏作動する電子機器におけるフロントパネルの作動機構であって、該作動機構が、先端がフロントパネルの上端部に枢着され、後端が水平移動自在に支持されたクランク片と、該クランク片の中間部に設けられて後述する第２歯車と噛合してクランク片に回動力を付与する第１歯車とから成る第１作動機構部と、前端がフロントパネルの下端部に連結されて後方に延びて前後方向に摺動可能な案内バーと、この案内バーに対し摺動自在に連結されたラックバーと、後述するスプリングの弾圧作用により当接する当接手段を介して前記案内バーに対するラックバーの前方への移動を阻止すると共に、前記弾圧作用を抗して案内バーに対するラックバー後方への移動を許容するように案内バーとラックバーとの間に負荷状態に張架されたスプリングと、前記ラックバーに噛合するピニオンとから成る第２作動機構部と、モータにより駆動され、かつ前記第１歯車と噛合する第２歯車と、該第２歯車の中心軸に支承され、かつ外周に前記第１歯車と噛合する内歯及び前記ピニオンと噛合する外歯を一体に有した第３歯車と、前記第１歯車を前記第２歯車の中心軸で回転する回転レバーとから成る差動機構部とから構成したことを特徴とする電子機器におけるフロントパネルの作動機構。
【請求項５】
スプリングの前端を案内バーの前端に設けた掛止片に、また、スプリングの後端をラックバーの後部に設けた掛止片にそれぞれ掛止めすると共に、前記ラックバーに、前記スプリングの付勢力により前記案内バーに設けた掛止片に当接するストッパーを設けて成る請求項４記載の電子機器におけるフロントパネルの作動機構。
【発明の詳細な説明】
【０００１】
【発明の属する技術分野】
本願発明は、主として車載用の電子機器におけるフロントパネルの作動機構に関する。
【０００２】
【従来の技術】
従来、テープカセットやコンパクトディスクなどの挿入口を前面開口部に設けた機器本体の前記前面開口部位置に、前面に表示部を形成したフロントパネルを前記挿入口を隠蔽する起立位置と前記挿入口を露出する伏倒位置との間で作動するように構成した車載用の電子機器におけるフロントパネルの作動機構は、例えば実開平１−７８０７４号公報において公知である。
【０００３】
上記した公知の電子機器におけるフロントパネルは、その上端部が、フロントパネルの上端奥部の左右側面に外向きに設けた案内ピンを、機器本体の左右側壁の内面に設けた上下方向に延びる案内溝に摺動自在に係合して成る案内手段により支持されており、また下端部は、その左右側面に内向きに設けた支軸を、前面に操作スイッチなどを横配列し、かつラックバーを後方に伸長して成る支持部材に枢着すると共に、前記ラックバーに、モータにより駆動されるピニオンを噛合して成る作動手段により前後動可能に支持されている。
【０００４】
しかしてフロントパネルが挿入口を隠蔽する起立位置でモータを一方向に駆動するとピニオンとラックバーとの噛合を介してフロントパネルの下端部は支持部材と共に前方に移動すると共に、案内ピンは案内溝に案内されて下降し、従ってフロントパネルは前方に移動しながら後方に傾動して挿入口を露出する伏倒位置に達する。
【０００５】
またこの伏倒位置からモータを他方向に駆動すると、ピニオンとラックバーとの噛合を介してフロントパネルの下端部は支持部材と共に後方に移動すると共に案内ピンは案内溝に案内されて上昇し、従ってフロントパネルは後方に移動しながら前方に傾動して挿入口を隠蔽する起立位置に達する。
【０００６】
【発明が解決しようとする課題】
ところで、上記した従来構成の電子機器におけるフロントパネルの作動機構において、例えばテープカセットやコンパクトディスクを挿入口から引き出す途中で誤ってスイッチを操作してモータをフロントパネルの起立方向に駆動したり或いはフロントパネルが起立方向に作動している途中で電子機器の前面開口部位置に誤って指や小物類を介入してフロントパネルの上端部で挟み込み、これによってコンパクトディスク或いは指や小物類に損傷を与えたり或いは作動機構に無理な外力が作用して機械的障害を与えたりする惧れがあった。
【０００７】
【課題を解決するための手段】
そこで、本願は上記した不都合を解消するために、フロントパネルの下端部を駆動手段により作動手段を介して前後方向に作動することにより、フロントパネルの上端部を案内手段により上下方向に案内して機器本体の前面でフロントパネルの挿入口を隠蔽する起立位置と、挿入口を露出する伏倒位置との間で起伏作動する電子機器におけるフロントパネルの作動機構において、前記作動手段を、フロントパネルの下端部に連結されて前後方向に摺動可能な案内部材と、この案内部材に対して相対摺動可能であって、駆動手段により作動する作動部材と、常態で、後述するスプリングの弾圧作用により当接手段を介して案内部材に対する作動部材の前方への摺動を阻止すると共に、異常時にスプリングの弾圧作用に抗して案内部材に対する作動部材の後方への移動を許容するように案内部材と作動部材との間に負荷状態で張架されたスプリングとから構成したことを特徴とするものである。
【０００８】
上記において、当接手段が、案内部材の前方上面に突設したスプリングの前端を掛止する掛止片と、作動部材の前方上面に横向きに設けたストッパーとから成り、また上下方向の案内手段が、フロントパネルの上端部に設けた案内ピンと、機器本体の側壁内面に設けた上下方向に延びて前記支軸と摺動自在に係合する案内溝とから成る。
【０００９】
さらに、本願は出願人が開発した電子機器におけるフロントパネルの作動機構において、上記した障害の生じる惧れを解消するために、機器本体の前面でフロントパネルを挿入口が隠蔽する起立位置と、挿入口を露出する伏倒位置との間で起伏作動する電子機器におけるフロントパネルの作動機構であって、該作動機構が、先端がフロントパネルの上端部に枢着され、後端が水平移動自在に支持されたクランク片と、該クランク片の中間部に設けられて後述する第２歯車と噛合してクランク片に回動力を付与する第１歯車とから成る第１作動機構部と、前端がフロントパネルの下端部に連結されて後方に延びて前後方向に摺動可能な案内バーと、この案内バーに対し摺動自在に連結されたラックバーと、後述するスプリングの弾圧作用により当接する当接手段を介して前記案内バーに対するラックバーの前方への移動を阻止すると共に、前記弾圧作用を抗して案内バーに対するラックバーの後方への移動を許容するように案内バーと、ラックバーとの間に負荷状態に張架されたスプリングと、前記ラックバーに噛合するピニオンとから成る第２作動機構部と、モータにより駆動され、かつ前記第１歯車と噛合する第２歯車と、該第２歯車の中心軸に支承され、かつ外周に前記第１歯車と噛合する内歯及び前記ピニオンと噛合する外歯を一体に有した第３歯車と、前記第１歯車を前記第２歯車の中心軸で回転する回転レバーとから成る差動機構部とから構成したことを特徴とするものである。
【００１０】
上記において、スプリングの前端を案内バーの前端に設けた掛止片に、また、スプリングの後端をラックバーの後端に設けた掛止片にそれぞれ掛止めすると共に、前記ラックバーに、前記スプリングの付勢力により前記案内バーに設けた掛止片に当接するストッパーを設けて成るものである。
【００１１】
【発明の実施の形態】
以下図面にもとづいて本願発明の実施例を詳述する。
図１〜５は公知の電子機器におけるフロントパネルの作動機構に改良を加えて成る実施例を示している。
即ち図１，２において、１は機器本体で、その前面壁２の上部にテープカセットなどの挿入口３が、またその左右位置には、操作部３，４が突出状に設けてある。
【００１２】
前記左右の操作部３，４の間には、下端部が、スイッチ群５を横配列した横長の支持部材６に回動自在に支承されて、機器本体１の前面部を開閉するフロントパネル７が介在してある。
【００１３】
具体的には、図３で示すように、フロントパネル７はその上端部左右側面に案内ピン１０が外向きに設けてあり、この案内ピン１０が前記左右操作部３，４の側壁面に設けた上下方向に延びて後方に湾曲した案内溝１１に摺動自在に係合してある。
【００１４】
また、フロントパネル７の下端部の左右側面には、舌片１２が下向きに設けてあり、この舌片１２に設けた枢軸１３により前記支持部材６の左右側面に回動自在に枢着してある。
【００１５】
前記両端の枢軸１３には、図３で示すように後方向に延びる案内部材として案内バー１４，１４の先端がそれぞれ連結されている。
この案内バー１４には、長手方向に沿って摺動溝１５が設けてあり、この摺動溝１５に機器本体６の側壁面に設けた前後１対の回転駒１６が摺動自在に係合してあり、この回転駒１６と摺動溝１５との係合により案内バー１４は機器本体１に対し前後方向に移動する。
【００１６】
前記一方の案内バー１４には、作動部材としてのラックバー１７が摺動自在に連結してある。
即ちラックバー１７には、案内バー１４と平行して延び、その長手方向に沿って前記回転駒１６と摺動自在に係合する摺動溝１８と、上面に歯を有したラック片１９とがそれぞれ設けてある。
【００１７】
また前記案内バー１４とラックバー１７との間には、スプリング２０が張架されている。
即ち案内バー１４の上縁前方位置には、スプリング２０の前端を掛止する掛止片２１が、またラックバー１７の上縁前方位置にはスプリング２０の後端を掛止する掛止片２２と、前記掛止片２１と２２との間にスプリング２０の負荷状態に張架したとき、その付勢力により前記案内バー１４の掛止片２１に圧接するストッパー２３とがそれぞれ設けてあり、この掛止片２１とストッパー２３との圧接により案内バー１４とラックバー１７とが一体となって摺動する。
【００１８】
前記ラック１９に設けたラック片１７には、駆動手段のモータ２４により中間歯車２５を介して回転駆動されるピニオン２６が噛合してある。
【００１９】
しかして、従来と同様にモータ２４を正方向に回転すると、ピニオン２６とラック片１９との噛合によりラックバー１７は前方に摺動し、これとスプリング２０の付勢力により一体に連結された案内バー１４も前方に摺動し、この摺動に伴ってフロントパネル７の上端部は案内ピン１０と案内溝１１との係合を介して下降するので、フロントパネル７は図１で示す挿入口３を隠蔽する起立位置から図２で示す挿入口を露出する伏倒位置に移行する。
【００２０】
また図２で示すフロントパネル７の伏倒位置において、モータ２４を逆方向に回転すると、ピニオン２６とラック片１９との噛合によりラックバー１７は後方に摺動し、これとスプリング２０の付勢力により一体に連結された案内バー１４も後方に摺動し、この摺動に伴ってフロントパネル７の上端部は案内ピン１０と案内溝１１との係合を介して上動するので、フロントパネル７は図１で示す起立位置に移行して、挿入口３を隠蔽する。
【００２１】
ところで上記において、モータ２４を逆方向に回転してフロントパネル７を伏倒位置から起立位置に移行する過程でフロントパネル７の上面と機器本体１の前面開口部との間に存在する間隙に例えば誤って指を介入して図５で示すように指や小物類が挟まれたとき、フロントパネル７の起立方向の作動は無理に阻止されるが、ピニオン２６と噛合しているラック片１９を有したラックバー１７はスプリング２０の付勢力に抗して後退するので、モータ２４及び作動部分に過大な負荷が作用する惧れはない。
従って挟まれた指や小物類及び作動機構に損傷を与えることなく安全な動作が期待できる。
【００２２】
なお上記において、スプリング２０の後端を掛止片２２に、その前端を掛止片２１に代えて図示しないがフロントパネル７の適応に掛止めることによっても、掛止片２１をストッパー２３に圧接して案内バー１４とラックバー１７とを摺動方向に対し一体化することもできる。
【００２３】
ところで出願人は、さきに前記した従来の電子機器におけるフロントパネルの作動機構の欠陥を改善した新規な発明をすでに提案している。
即ち、さきに示した実開平１−７８０７４号（実願昭６２−１７３００５号のマイクロフィルム）に開示された電子機器におけるフロントパネルの作動機構によれば、フロントパネルの上端部を上下方向に作動する案内手段は、フロントパネルの上端側部に設けた案内ピンを、機器本体の前面開口部の側壁に設けた上下方向に延びる案内溝に係合して成り、またフロントパネルの下端側部に支持されて水平方向に摺動するラック片に、モータにより駆動されるピニオンを噛合して成る構成であるため、伏倒位置でフロントパネルを水平状態にするときは、その方向がラック片の摺動方向と一致するので、ラック片の水平摺動によりフロントパネルに上向きの力が作用する余地はなく、従ってフロントパネルを水平状態にすることができないという不都合を有する。
【００２４】
そのため、伏倒位置でフロントパネルが稍上向きに傾斜した状態におかれるので、その傾斜高さだけ機器本体の前面開口部の開口高さが減縮され、従って、テープカセットやコンパクトディスクなどの挿入口の大きさが制限を受けたりあるいは機器本体の高さ寸法が大きくなり機器の小型化を損なうなどの不都合があった。
【００２５】
そこで出願人は、伏倒位置でフロントパネルを水平状態に保持できるように、機器本体の前面開口部でフロントパネルが垂直状態となる起立位置と、上向き水平状態となる伏倒位置との間で作動する作動機構であって、該作動機構が、フロントパネルの上位支持部に上下方向の作動力を付与する第１作動機構部と、フロントパネルの下位支持部に前後方向の作動力を付与する第２作動機構部と、第１及び第２作動機構部を連結する差動機構部とから構成したものである。
【００２６】
具体的には、第１作動機構部が、先端がフロントパネルの上位支持部に枢着され、後端が水平移動自在に支持されたクランク片と、該クランク片の中間部に設けられて後述する第２歯車と噛合してクランク片に回動力を付与する第１歯車とから成り、第２作動機構部が、先端がフロントパネルの下位支持部に枢着されて水平移動自在に支持されたラック片と、該ラック片に噛合してラック片に水平方向の作動力を付与するピニオンとから成り、差動機構部が、モータにより駆動され、かつ前記第１歯車と噛合する第２歯車と、該第２歯車の中心軸に支承され、かつ外周に前記第１歯車と噛合する内歯及び前記ピニオンと噛合する外歯を一体に有した第３歯車と、前記第１歯車を第２歯車の中心軸で支持する回動レバーとから成るものである。
【００２７】
上記した出願人の開発に係る作動機構によれば、フロントパネルの起立位置においてモータを一方に回転すると、フロントパネルの上位支持部に先端が枢着されているクランク片は、その先端が上下方向に不動であることにより回転不能な状態におかれ、従ってモータにより回転する第１歯車は、内歯との噛合を介してほぼ無負荷状態にある第３歯車を回転する。この第３歯車の回転によりその外歯と噛合しているピニオンも回転するので、これと噛合しているラック片が前方に摺動してフロントパネルの下位支持部を前方に押し出し、これに伴ってフロントパネルは、その上位支持部が下降しながら伏倒位置に傾動する。
【００２８】
この傾動作用に伴ってクランク片に作用する回転負荷は漸小するので、爾後、クランク片に作用する負荷とピニオンに作用する負荷との釣合いによる第１作動機構部と第２作動機構部との作動により、フロントパネルは水平状態となる位置まで伏倒する。
【００２９】
次にフロントパネルが水平状態にある伏倒位置において、モータを他方に回転すると、フロントパネルが水平状態にあってラック片は前後方向に不動であるので、ピニオンに大きな回転負荷が作用し、従ってこれと噛合する外歯を有した第３歯車も回転不能な状態におかれるので、モータにより回転する第１歯車は自転しながら第３歯車の内歯に沿って公転し、これによってクランク片の回転が許容される。
【００３０】
そのためクランク片の回動によりフロントパネルの上位支持部に上向きの力が作用するので、フロントパネルは起立方向に傾動してピニオンに作用する負荷は漸小し、爾後は、クランク片に作用する負荷とピニオンに作用する負荷との釣合いによる第１作動機構部と第２作動機構部との作動によりフロントパネルは起立する。
【００３１】
従って出願人の開発に係る電子機器におけるフロントパネルの作動機構によれば、フロントパネルを垂直の起立位置から水平の伏倒位置に作動することができるので、伏倒位置で機器本体の前面開口部を大きく開拡することができ、従ってテープカセットなどの挿入口の大きさを従来のものと等しくするときは、機器本体の高さ寸法が短縮できて小型化に有効であり、かつフロントパネルの開閉動作が極めて円滑に行なうことができるなどの利点を有する。
【００３２】
図６〜１１は上記した出願人の開発に係る電子機器におけるフロントパネルの作動機構において、本願発明が解決しようとする課題を解決するために改良を加えて成る場合の他の実施例を示している。
即ち、図６は機器本体３０の前面開口部をフロントパネル３１により閉止した状態の総体斜視図、図７は機器本体３０の前面開口部を開披した状態の総体斜視図をそれぞれ示している。
【００３３】
機器本体３０は、その前面開口部の位置にテープカセットなどの挿入口３２ａとコンパクトディスク挿入口３２ｂが上下２段に開設してあり、内部には図示しないがそれぞれのプレー機構が装備されている。
【００３４】
機器本体３０の前面開口部を開閉するフロントパネル３１は、その前面にラジオ受信周波数或いはコンパクトディスクの演奏トラック番号などの表示部３３のほかに周縁部に電源，音量，ＡＭ／ＦＭ切換用などの操作用押釦３４が配設してある。
【００３５】
図８，９は、フロントパネル３１の作動関係を示した側面図であり、フロントパネル３１の作動機構は、機器本体３０の一方の側壁内面（図では左側壁内面）と、この側壁内面に対峙して機器本体３０の底面に立設した取付板３４との間に装備されている。
【００３６】
前記作動機構は、フロントパネル３１の上位支持部に上下方向の作動力を付与する第１作動機構部４０と、フロントパネル３１の下位支持部に前後方向の作動力を付与する第２作動機構部５０と、前記第１及び第２作動機構部４０及び５０を差動連結する差動機構部６０とから構成されている。
【００３７】
前記第１作動機構部４０は、先端がフロントパネル３１の側面上部に軸４１により枢着され、後端が、それから突出した係合片４２を前記取付板３４に設けた支持片４３の水平状の係合溝４４に係合することにより水平移動自在に支持されたクランク片４５と、このクランク片４５の中間部に設けた軸４６に軸承されて後述する第２歯車６３と噛合して前記クランク片４５に回動力を付与する第１歯車４７とから構成されている。
【００３８】
前記第２作動機構部５０は、先端がフロントパネル３１の左右側面下部に軸５１により枢着されて後方向に延び、その長手方向に沿って設けた摺動溝５２に、機器本体３０の側壁に設けた前後１対の支持駒３５，３５を係合することにより前後方向に水平移動可能な左右１対の案内バー５３，５３と、その一方の案内バー５３に該案内バー５３と平行して延びる断面Ｌ字状の部材から成り、その垂片の長手方向に前記支持駒３５，３５と摺動自在に係合する摺動溝５４を、またその水平片にラック片５５をそれぞれ有したラックバー５６と、案内バー５３とラックバー５６の上縁にそれぞれ設けた掛止片５３’，５６’に張架されてラックバー５６を常時前方に弾圧付勢してラックバー５６に設けたストッパー５７を案内バー５３の掛止片５３’に圧接するスプリング５８と、前記ラック片５５に噛合するピニオン５９とから構成されている。
【００３９】
前記差動機構部６０は、前記取付板３４に取付けたモータ６１により中間歯車機構６２を介して回転駆動され、かつ前記第１歯車４７と噛合する第２歯車６３と、この第２歯車６３の回転中心軸６４に回動自在に軸承され、かつ前記第１歯車４７と噛合する内歯６５及び前記ピニオン５９と噛合する外歯６６を一体に有した第３歯車６７とから成り、前記第１歯車４７は、一端が前記回転中心軸６４に枢着されたレバー６８の他端に支持されている。
【００４０】
前記第２歯車６３は、軸方向に長く形成されると共に、その前，後端部に、前記第１歯車４７と噛合する歯部６３ａと、前記中間歯車機構６２と噛合する歯部６３ｂとを有し、中間には前記第３歯車６７の中心孔６７’をカラー６９を介して回転自在に支承する支承部６３ｃが設けてある。
【００４１】
しかして、フロントパネル３１が機器本体３０の前面開口部を閉止している図６，８の状態においてモータ６１を駆動すると、中間歯車機構６２を介して第２歯車６３が図中反時計方向に回転し、これと噛合する第１歯車４７は時計方向に回転する。
【００４２】
ところで、図８で示すフロントパネル３１の起立位置においては、クランク片４５の先端部が上下方向に不動の状態におかれていることにより該クランク片４５に大きな回動負荷が作用して回動不能な状態におかれているので、第１歯車４７の時計方向の回転に伴い内歯３５との噛合によりほぼ無負荷状態にある第３歯車６７が図中時計方向に回転し、その回転により外歯６６と噛合しているピニオン５９が図中反時計方向に回転するので、ラックバー５６及びこれとスプリング５８を介して一体の案内バー５３が共に前方向（図中右方向）に移動し、これによってフロントパネル３１は軸５１を支軸として図中矢印ａ方向に傾斜し、軸４１は下降する。
また他方の案内バー５３も追従して前方向に移動する。
【００４３】
上記において、フロントパネル３１が傾斜するにつれてクランク片４５に作用する回転負荷は漸小するので、爾後は、クランク片４５に作用する負荷とピニオン５９に作用する負荷との釣合いによる第１作動機構部４０と第２作動機構部５０との作動により、フロントパネル３１は図８の起立位置から図９で示すように水平状態となる伏倒位置に移行する。
【００４４】
次に図９で示すフロントパネル３１の伏倒位置からモータ６１を前記と反対方向に駆動すると、中間歯車機構６２を介して第２歯車６３が図中時計方向に回転し、これと噛合する第１歯車４７は反時計方向に回転する。
【００４５】
ところで、図９で示す伏倒位置においては、フロントパネル３１が水平状態にあるのでラックバー５６及びこれと一体の案内バー５３が共に前後方向に不動であるから、ピニオン５９に大きな回動負荷が作用して回転不能な状態におかれており、従ってピニオン５９と外歯６６との噛合により、第３歯車６７もまた回転不能な状態におかれるので、第１歯車４７は、自転しながら内歯６５との噛合を介して該内歯６５に沿って公転し、それによってクランク片４５に時計方向の回動力が作用する。
【００４６】
すると、フロントパネル３１は軸５１を支軸として時計方向に回動して上向きに傾斜し、この傾斜に伴いピニオン５９に作用する負荷は漸小するので、爾後は、クランク片４５に作用する負荷とピニオン５９に作用する負荷との釣合いによる第１作動機構部４０と第２作動機構部５０との作動により、フロントパネル３１は図９の伏倒位置から図８で示すようにフロントパネル３１が垂直状態となる起立位置に移行する。
【００４７】
即ち上記実施例によれば、第１作動機構部４０と第２作動機構部５０とを差動機構部６０により連結したので、フロントパネル３１の起立位置における始動時においては、ほぼ無負荷の状態にある第２作動機構部５０の作動によりフロントパネル３１を傾斜し、またフロントパネル３１の伏倒位置における始動時においては、ほぼ無負荷の状態にある第１作動機構部４０の作動によりフロントパネル３１を引き起こし、そして始動後においては、第１作動機構部４０と第２作動機構部５０は、その負荷の釣合い状態により作動するので、フロントパネル３１は極めて円滑に開閉動作する。
【００４８】
ところで、上記において、モータ６１の駆動によりフロントパネル３１を伏倒位置から起立位置に移行する過程でフロントパネルの上面と機器本体３０の前面開口部との間に存在する間隙に例えば誤って指を介在して図１１で示すように指が挟まれたトラブル状態においては、フロントパネル３１の起立方向の作動は無理に阻止されるが、ピニオン５９と噛合しているラック片５５を有したラックバー５６は、スプリング５８の付勢力に抗して後退するので、指に過大な力が作用する惧れはない。
【００４９】
【発明の効果】
以上のように本願発明によれば、フロントパネルを伏倒位置から起立位置に移行する過程で、指や小物類を挟み込んでフロントパネルに起立方向の作動を不要に抑止するような外部負荷が作用した場合でも、指や小物類或いは作動機構に損傷を与えることなく安全な動作が期待できるという利点を有する。
【００５０】
特に請求項３記載の構成によれば、伏倒位置で機器本体の前面開口部を大きく開披することができて、テープカセットなどの挿入口の大きさを従来のものと等しくするときは、機器本体の高さ寸法が短縮できて小型化に有効であり、かつフロントパネルの起伏動作を極めて円滑に行なうことができるという利点を有する。
【図面の簡単な説明】
【図１】起立位置における一部省略した総体斜視図
【図２】伏倒位置における一部省略した総体斜視図
【図３】要部の分解斜視図
【図４】作動機構の部分断面図
【図５】トラブル状態を示す側面図
【図６】他の実施例における起立位置の一部省略した総体斜視図
【図７】上記における伏倒位置の一部省略した総体斜視図
【図８】上記における起立位置の側面図
【図９】上記における伏倒位置の側面図
【図１０】図６のＡ−Ａ線断面図
【図１１】上記におけるトラブル状態を示す側面図
【符号の説明】
１，３０  機器本体
３，３２ａ，３２ｂ  挿入口
６  支持部材
７，３１  フロントパネル
１０  ガイドピン
１１  案内溝
１４，５３  案内バー
１５  摺動溝
１６，３５  支持駒
１７，５６  ラックバー
１９，５５  ラック片
２０，５８  スプリング
２１，５３’，５６’  掛止片
２３，５７  ストッパー
２４，６１  モータ
２６，５９  ピニオン
４０  第１作動機構部
４１，４６  軸
４５  クランク片
４７  第１歯車
５０  第２作動機構部
５１  軸
５２，５４  摺動溝
６０  差動機構部
６３  第２歯車
６４  回転中心軸
【図１】
0004012295.tif 000002
【図２】
0004012295.tif 000003
【図３】
0004012295.tif 000004
【図４】
0004012295.tif 000005
【図５】
0004012295.tif 000006
【図６】
0004012295.tif 000007
【図７】
0004012295.tif 000008
【図８】
0004012295.tif 000009
【図９】
0004012295.tif 000010
【図１０】
0004012295.tif 000011
【図１１】
0004012295.tif 000012